(57)【要約】【課題】頁に付される栞としての機能の利便性を向上させることが可能な情報表示装置を提供する。【解決手段】表示部１０６と、表示部１０６に表示される複数の頁からなる文書と予め指定されている当該頁を指定する栞とを記憶するフラッシュＲＯＭ等と、表示部１０６における頁表示モードと栞間移動モードとを切り換えるために用いられる操作キー１０５と、頁表示モードにおいて頁のみを表示すると共に、頁表示モードを実行中において頁を他の頁に書き換え、更に栞間移動モードにおいて、栞頁の内容を示すサムネイルイメージを現在表示されている頁内に表示し、更に栞間移動モードにおいていずれかのサムネイルイメージが指定されたとき当該指定されたサムネイルイメージに対応する頁を表示するＣＰＵ１０１及び表示コントローラ１０７と、を備える。【選択図】図１
2010182275.tif 000002
【特許請求の範囲】
【請求項１】
表示手段と、
前記表示手段に表示される複数の頁からなる表示情報と、各前記頁のうち予め指定されている当該頁を指定する指定情報と、を記憶する記憶手段と、
入力操作を行うために用いられる操作手段と、
前記表示手段における前記表示情報の表示に係るモードである第１表示モードと第２表示モードとを切り換えるモード切換手段と、
前記第１表示モードにおいて、前記表示手段上に前記頁のみを表示する第１表示制御手段と、
前記第１表示モードを実行中において、前記操作手段における操作に応じて、前記表示手段上に現在表示されている前記頁を他の頁に書き換える第２表示制御手段と、
前記第２表示モードにおいて、前記指定情報により示される前記頁の内容を示す内容指示情報を、前記表示手段において当該頁が表示される表示領域内のいずれかの位置に表示するように制御する第３表示制御手段と、
前記第２表示モードにおいて、前記操作手段の操作によりいずれかの前記内容指示情報が指定されたとき、当該指定された内容指示情報により前記内容が示されている前記頁を前記表示手段上に表示する第４表示制御手段と、
を備えることを特徴とする情報表示装置。
【請求項２】
請求項１に記載の情報表示装置において、
前記第２表示モードにおいて前記第３表示制御手段は、前記表示手段に表示されていた前記頁の当該表示の態様を維持しつつ、前記内容指示情報を当該頁に重ねて表示するように制御することを特徴とする情報表示装置。
【請求項３】
請求項１又は２に記載の情報表示装置において、
前記内容指示情報は、当該内容指示情報により前記内容が示されている前記頁の前記表示段上における表示状態を縮小して得られる縮小情報であることを特徴とする情報表示装置。
【請求項４】
請求項１から３のいずれか一項に記載の情報表示装置において、
前記第２表示モードにおいて前記第３表示制御手段は、前記内容指示情報により前記内容が示されている前記頁を示す頁情報を含ませて当該内容指示情報を表示することを特徴とする情報表示装置。
【請求項５】
請求項１から４のいずれか一項に記載の情報表示装置において、
前記操作手段は、前記指定情報により指定されている前記頁を前記表示手段上に表示する旨の操作を行うために更に用いられ、
前記第２表示モードにおいて前記第３表示制御手段は、前記表示されている内容指示情報により前記内容が示されている前記頁と前記表示手段上に現在表示されている前記頁との前記表示情報全体の中における前後関係と、前記操作手段の前記情報表示装置内における位置関係と、が整合するように当該内容指示情報を表示することを特徴とする情報表示装置。
【請求項６】
請求項１から５のいずれか一項に記載の情報表示装置において、
前記第２表示モードにおいて前記第３表示制御手段は、前記表示領域における空白部分に前記内容指示情報を表示させることを特徴とする情報表示装置。
【請求項７】
請求項１から６のいずれか一項に記載の情報表示装置において、
前記第２表示モードにおいて前記第３表示制御手段は、相互に異なる前記頁の内容を夫々に示す複数の前記内容指示情報を、前記表示情報内における当該各頁の前後関係と整合する位置関係を有するように前記表示手段上に表示し、
前記操作手段は、前記表示されている複数の内容指示情報各々に対応する前記指定情報間の遷移を指示するために更に用いられ、
前記第２表示モードにおいて前記第３表示制御手段は、前記指定情報間の遷移が指示されたとき、当該表示されている内容指示情報の当該表示を当該指定情報間の遷移に対応するように切り換えることを特徴とする情報表示装置。
【請求項８】
請求項７に記載の情報表示装置において、
前記第２表示モードにおいて前記第３表示制御手段は、前記表示情報内における位置が前記表示手段上に現在表示されている前記頁に近い前記頁の前記内容を示す前記内容指示情報ほど占有面積を相対的に大きくして前記表示手段上に表示することを特徴とする情報表示装置。
【請求項９】
コンピュータを、前記操作手段及び前記表示手段を除いた請求項１から７のいずれか一項に記載の情報表示装置として機能させることを特徴とする情報表示用プログラム。
【発明の詳細な説明】
【技術分野】
【０００１】
本発明は、情報表示装置及び情報表示用プログラムの技術分野に属し、より詳細には、複数頁からなる情報を表示する情報表示装置及び当該情報表示装置用のプログラムの技術分野に属する。
【背景技術】
【０００２】
従来、複数頁からなる書籍の内容を頁単位で電子的に表示する携帯可能な端末装置がある。このうち、いわゆる電気泳動方式により表示を行う端末装置は、その消費電力の低さから将来的にも有望視されている。
【０００３】
ここで、当該端末装置では、一般に一頁分に相当する情報を一の表示画面を用いて表示することにより、あたかも書籍を捲るのと同様の感覚で表示されている内容を読み進めていくことが可能とされている。そして、上記の如き端末装置の場合、その携帯性を高めるべく小型化、軽量化が望まれる場合が多く、これにより表示画面が一つしかない端末装置も多く存在する。
【０００４】
一方、通常の（紙製の）書籍や書類を読む場合、一度読んだ部分又は頁を後から再度読み返したいときには、いわゆる「栞」が用いられる。そして、上述した端末装置においても、この栞の機能を有するものがある。
【０００５】
このとき、下記特許文献１記載のものでは、表示対象となっている書籍又は書類につき、その書籍の内容たる頁と、その書籍等に対してそれまでに付された栞を示す栞一覧表等と、を夫々別個の画面にて表示する構成とされている。
【先行技術文献】
【特許文献】
【０００６】
【特許文献１】特開２００１−１０１２０２号公報
【発明の概要】
【発明が解決しようとする課題】
【０００７】
しかしながら、上記の如き端末装置についての近年における小型軽量化の要請に鑑みれば、上述した如き表示画面が一つしかない端末装置の場合など、限られた表示領域のみを利用して、上記頁の内容自体と、栞の内容等と、を夫々に見易く表示したいと言う要請がある。
【０００８】
そこで、本発明は上記の要請に鑑みて為されたもので、その目的の一例は、端末装置に限られた表示手段しかない場合でも、目印として頁に付される栞としての機能の利便性を向上させることが可能な情報表示装置及び当該情報表示装置用のプログラムを提供することにある。
【課題を解決するための手段】
【０００９】
上記の課題を解決するために、請求項１に記載の発明は、表示部等の表示手段と、前記表示手段に表示される複数の頁からなる表示情報と、各前記頁のうち予め指定されている当該頁を指定する指定情報と、を記憶するフラッシュＲＯＭ等の記憶手段と、入力操作を行うために用いられる操作キー等の操作手段と、前記表示手段における前記表示情報の表示に係るモードである第１表示モードと第２表示モードとを切り換える表示コントローラ等のモード切換手段と、前記第１表示モードにおいて、前記表示手段上に前記頁のみを表示する表示コントローラ等の第１表示制御手段と、前記第１表示モードを実行中において、前記操作手段における操作に応じて、前記表示手段上に現在表示されている前記頁を他の頁に書き換える表示コントローラ等の第２表示制御手段と、前記第２表示モードにおいて、前記指定情報により示される前記頁の内容を示す内容指示情報を、前記表示手段において当該頁が表示される表示領域内のいずれかの位置に表示するように制御する表示コントローラ等の第３表示制御手段と、前記第２表示モードにおいて、前記操作手段の操作によりいずれかの前記内容指示情報が指定されたとき、当該指定された内容指示情報により前記内容が示されている前記頁を前記表示手段上に表示する表示コントローラ等の第４表示制御手段と、を備える。
【００１０】
よって、第２表示モードにおいて、指定情報により指定されている頁に対応する内容指示情報を表示手段において当該頁が表示される表示領域内のいずれかの位置に表示し、当該表示されている内容指示情報のいずれかが指定されたとき、当該指定された内容指示情報により内容が示されている頁を表示するので、表示手段における表示領域内のみを用いて、現在の頁の内容と併せて指定情報により指定されている他の頁の内容を確認することができる。
【００１１】
また、第１表示モードでは表示手段上に頁のみが表示されることで当該頁の閲覧が容易になると共に、第２表示モードでは、現在表示中の頁の内容を確認しつつ、指定情報により指定されている他の頁をも選択してその頁に表示を切り換えることができる。
【００１２】
更に、指定情報により指定されている頁に対応する内容指示情報を表示手段において当該頁が表示される表示領域内のいずれかの位置に表示するので、元の頁の表示を消去せずにその内容を確認可能としつつ、内容指示情報を表示することができる。
【００１３】
上記の課題を解決するために、請求項２に記載の発明は、請求項１に記載の情報表示装置において、前記第２表示モードにおいて前記第３表示制御手段は、前記表示手段に表示されていた前記頁の当該表示の態様を維持しつつ、前記内容指示情報を当該頁に重ねて表示するように構成される。
【００１４】
よって、表示手段に表示されていた頁の当該表示の態様を維持しつつ、内容指示情報を当該頁に重ねて表示するように制御するので、元の頁の表示が例えば縮小等されることによりそれを構成する文字等が読み難くなることがなく、当該頁のうち内容指示情報が重ねられていない部分の当該文字等を確実に認識することができる。
【００１５】
上記の課題を解決するために、請求項３に記載の発明は、請求項１又は２に記載の情報表示装置において、前記内容指示情報は、当該内容指示情報により前記内容が示されている前記頁の前記表示段上における表示状態を縮小して得られる縮小情報であるように構成される。
【００１６】
よって、表示領域内に表示される内容指示情報が、当該内容指示情報により内容が指示されている頁の表示状態を縮小して得られる縮小情報であるので、当該指定されている頁の内容を迅速に認識することができる。
【００１７】
上記の課題を解決するために、請求項４に記載の発明は、請求項１から３のいずれか一項に記載の情報表示装置において、前記第２表示モードにおいて前記第３表示制御手段は、前記内容指示情報により前記内容が示されている前記頁を示す頁情報を含ませて当該内容指示情報を表示するように構成される。
【００１８】
よって、内容指示情報により内容が示されている頁を示す頁情報が内容指示情報内に含まれているので、当該内容が示されている頁をより迅速に認識することができる。
【００１９】
上記の課題を解決するために、請求項５に記載の発明は、請求項１から４のいずれか一項に記載の情報表示装置において、前記操作手段は、前記指定情報により指定されている前記頁を前記表示手段上に表示する旨の操作を行うために更に用いられ、前記第２表示モードにおいて前記第３表示制御手段は、前記表示されている内容指示情報により前記内容が示されている前記頁と前記表示手段上に現在表示されている前記頁との前記表示情報全体の中における前後関係と、前記操作手段の前記情報表示装置内における位置関係と、が整合するように当該内容指示情報を表示するように構成される。
【００２０】
よって、指定情報により指定されている頁を表示する旨の操作を行うための操作手段の情報表示装置内における位置関係と、内容指示情報により内容が示されている頁と現在表示されている頁との表示情報全体の中における前後関係と、が整合するように内容指示情報が表示されるので、直感的な操作により内容指示情報により内容が示されている頁を表示させることができる。
【００２１】
上記の課題を解決するために、請求項６に記載の発明は、請求項１から５のいずれか一項に記載の情報表示装置において、前記第２表示モードにおいて前記第３表示制御手段は、前記表示領域における空白部分に前記内容指示情報を表示させるように構成される。
【００２２】
よって、表示手段の表示領域における空白部分に内容指示情報を表示させるので、現在表示されている頁の内容との関係を確認しつつ、内容指示情報により内容が示されている他の頁を認識することができる。
【００２３】
上記の課題を解決するために、請求項７に記載の発明は、請求項１から６のいずれか一項に記載の情報表示装置において、前記第２表示モードにおいて前記第３表示制御手段は、相互に異なる前記頁の内容を夫々に示す複数の前記内容指示情報を、前記表示情報内における当該各頁の前後関係と整合する位置関係を有するように前記表示手段上に表示し、前記操作手段は、前記表示されている複数の内容指示情報各々に対応する前記指定情報間の遷移を指示するために更に用いられ、前記第２表示モードにおいて前記第３表示制御手段は、前記指定情報間の遷移が指示されたとき、当該表示されている内容指示情報の当該表示を当該指定情報間の遷移に対応するように切り換えるように構成される。
【００２４】
よって、相互に異なる頁の内容を夫々に示す複数の内容指示情報を、表示情報内における当該各頁の位置関係と整合する位置関係を有するように表示手段上に表示し、更に、当該表示されている内容指示情報各々に対応する指定情報間の遷移が指示されたとき、内容指示情報の当該表示をその遷移に対応するように切り換えて表示するので、元の頁の表示を遷移させるのと同様の視覚的効果をもって内容指示情報の表示を切り換えることで、直感的且つ容易に内容指示情報により内容が示されている頁を認識することができる。
【００２５】
上記の課題を解決するために、請求項８に記載の発明は、請求項７に記載の情報表示装置において、前記第２表示モードにおいて前記第３表示制御手段は、前記表示情報内における位置が前記表示手段上に現在表示されている前記頁に近い前記頁の前記内容を示す前記内容指示情報ほど占有面積を相対的に大きくして前記表示手段上に表示するように構成される。
【００２６】
よって、表示情報内における位置が現在表示されている頁に近い頁の内容を示す内容指示情報ほど占有面積を相対的に大きくして表示手段上に表示するので、更に直感的に頁の内容を認識することができる。
【００２７】
上記の課題を解決するために、請求項９に記載の発明は、コンピュータを、前記操作手段及び前記表示手段を除いた請求項１から７のいずれか一項に記載の情報表示装置として機能させる。
【００２８】
よって、第２表示モードにおいて、指定情報により指定されている頁に対応する内容指示情報を当該頁が表示される表示手段における表示領域内のいずれかの位置に表示するように当該コンピュータが機能し、当該表示されている内容指示情報のいずれかが指定されたとき、当該指定された内容指示情報により内容が示されている頁を表示するように当該コンピュータが機能するので、表示手段における表示領域内のみを用いて、現在の頁の内容と併せて指定情報により指定されている他の頁の内容を確認することができる。
【００２９】
また、第１表示モードでは表示手段上に頁のみが表示されるように当該コンピュータが機能することで当該頁の閲覧が容易になると共に、第２表示モードでは、現在表示中の頁の内容を確認しつつ、指定情報により指定されている他の頁をも選択してその頁に表示を切り換えることができる。
【発明の効果】
【００３０】
本発明によれば、第２表示モードにおいて、指定情報により指定されている頁に対応する内容指示情報を表示手段において当該頁が表示される表示領域内のいずれかの位置に表示し、当該表示されている内容指示情報のいずれかが指定されたとき、当該指定された内容指示情報により内容が示されている頁を表示するので、表示手段における表示領域内のみを用いて、現在の頁の内容と併せて指定情報により指定されている他の頁の内容を確認することができる。
【００３１】
また、第１表示モードでは表示手段上に頁のみが表示されることで当該頁の閲覧が容易になると共に、第２表示モードでは、現在表示中の頁の内容を確認しつつ、指定情報により指定されている他の頁をも選択してその頁に表示を切り換えることができる。
【００３２】
更に、指定情報により指定されている頁に対応する内容指示情報を表示手段において当該頁が表示される表示領域内のいずれかの位置に表示するので、元の頁の表示を消去せずにその内容を確認可能としつつ、内容指示情報を表示することができる。
【００３３】
従って、限られた表示手段（表示領域）しかない場合でも、目印として頁に付される栞としての機能の利便性を向上させることが可能である。
【図面の簡単な説明】
【００３４】
【図１】第１実施形態に係る情報処理システムの概要構成を示すブロック図等であり、（ａ）は当該情報処理システムの全体構成を示すブロック図であり、（ｂ）は当該情報処理システムに含まれる表示装置の正面図である。
【図２】第１実施形態に係る表示装置の概要構成を示すブロック図である。
【図３】第１実施形態に係る表示装置における動作の全体を示すフローチャートである。
【図４】第１実施形態に係る表示装置における動作の細部としての栞間移動動作を示すフローチャートである。
【図５】第１実施形態及び第２実施形態に係る表示装置の動作中における正面図であり、（ａ）は第１実施形態に係る表示装置の動作中における正面図であり、（ｂ）は第１実施形態の変形形態に係る表示装置の動作中における正面図である。
【図６】第２実施形態及び第３実施形態に係る表示装置の動作中における正面図であり、（ａ）は第２実施形態に係る表示装置の動作中における正面図であり、（ｂ）は第３実施形態に係る表示装置の動作中における正面図である。
【図７】第４実施形態に係る表示装置の動作中における各正面図である。
【図８】第５実施形態に係る表示装置の動作中における正面図である。
【発明を実施するための形態】
【００３５】
次に、本発明を実施するための形態について、図面に基づいて説明する。なお、以下に説明する各実施の形態は、例えばパーソナルコンピュータ（以下、単に「パソコン」と称する）と、当該パソコンに接続された例えば電気泳動方式を用いた実施形態に係る携帯型の表示装置と、を備える情報処理システムにおける当該表示装置に対して本発明を適用した場合の実施の形態である。
【００３６】
（Ｉ）第１実施形態
始めに、第１実施形態に係る情報処理システムの概要構成について、図１（ａ）を用いて説明する。なお図１（ａ）は、当該概要構成を示すブロック図である。
【００３７】
図１（ａ）に示すように、第１実施形態に係る情報処理システムＳは、上記パソコンＰと、上記表示装置Ｄと、により構成されており、両者は、例えばＵＳＢ（Universal Serial Bus）規格やＬＡＮ（Local Area Network）規格に準拠したネットワークＮＴを介して相互に接続されている。なお、パソコンＰと表示装置Ｄとの間のデータの授受は、後述するメモリカードを用いて行ってもよい。
【００３８】
この構成において、パソコンＰにおいて生成された表示対象たる文書等の情報は、ネットワークＮＴを介して表示装置Ｄに出力され、当該表示装置Ｄ上において表示される。
【００３９】
次に、第１実施形態に係る表示装置Ｄについて、図１（ｂ）及び図２を用いて説明する。なお、図１（ｂ）は第１実施形態に係る表示装置Ｄの正面図であり、図２は当該表示装置Ｄの細部構成を示すブロック図である。
【００４０】
図１（ｂ）及び図２に示すように、第１実施形態に係る表示装置Ｄは、表示装置Ｄ全体を統括制御する第１表示制御手段、第２表示制御手段、第３表示制御手段、第４表示制御手段及びモード切換手段の一例としてのＣＰＵ（Central Processing Unit）１０１と、ファームウエア等を記憶するＲＯＭ（Read Only Memory）１０２と、第１実施形態に係る表示装置Ｄとしての動作を実行するための各種制御プログラムやユーザ設定等のデータ或いは後述する表示部１０６において表示される文書等に相当する文書情報等を不揮発性に記憶する記憶手段の一例としてのフラッシュＲＯＭ１０３と、ＣＰＵ１０１の制御処理に必要なデータを一時的に記憶するＲＡＭ（Random Access Memory）１０４と、後述するカーソルキー、決定キー及び電源スイッチから構成され、操作手段の一例としてユーザからの指示を指示情報としてＣＰＵ１０１に供給する操作キー１０５と、例えば電気泳動方式の表示パネルや液晶表示パネル等により構成され、パソコンＰから送信されて来た情報に相当する文書等を画面に表示する表示手段の一例としての表示部１０６と、ＣＰＵ１０１からの指示に基づき表示部１０６による表示を制御する第１表示制御手段、第２表示制御手段、第３表示制御手段、第４表示制御手段及びモード切換手段の一例としての表示コントローラ１０７と、を備えている。
【００４１】
この構成において、操作キー１０５として具体的には、表示部１０６に表示されている文書を例えば垂直上方向又は垂直下方向に移動（スクロール）させる際に操作される上キー１０５ｅ及び下キー１０５ｃと、当該文書を前頁又は次頁に頁毎に移動させる際に操作される前キー１０５ｄ及び次キー１０５ｂと、各種操作の結果を決定させる際に操作される上記決定キー１０５ａと、上記電源スイッチ１０５ｆと、により構成されている。そして上記上キー１０５ｅ、下キー１０５ｃ、前キー１０５ｄ及び次キー１０５ｂにより上記カーソルキーが構成されている。
【００４２】
これに加えて表示装置Ｄは、例えばリチウムイオン電池等から構成されるバッテリー１０８と、バッテリー１０８に対する充電を制御する充電コントローラ１０９と、メモリカードドライブ等により構成されＣＰＵ１０１からの指示に基づきメモリカードドライブに挿入されたメモリカードＭＣに対してデータの書き込み及び読み出しを行うメモリカードＩ／Ｆ（インターフェース）１１０と、表示装置ＤとパソコンＰとをネットワークＮＴにより接続してデータを送受信するためのインターフェース処理を行う通信Ｉ／Ｆ１１１と、を備えている。そして、ＲＯＭ１０２、フラッシュＲＯＭ１０３、ＲＡＭ１０４、操作キー１０５、表示コントローラ１０７、充電コントローラ１０９、メモリカードＩ／Ｆ１１０及び通信Ｉ／Ｆ１１１と、ＣＰＵ１０１と、は、バス１１２を介して相互に接続されている。
【００４３】
次に、第１実施形態に係る表示装置Ｄとしての動作について、図３乃至図５を用いて説明する。なお、図３は第１実施形態に係る表示装置Ｄにおける動作の全体を示すフローチャートであり、図４は第１実施形態に係る表示装置Ｄにおける動作の細部としての栞間移動動作を示すフローチャートである。また図５（ａ）は第１実施形態に係る表示装置Ｄの動作中における正面図であり、図５（ｂ）は第１実施形態の変形形態に係る表示装置Ｄの動作中における正面図である。
【００４４】
先ず、当該第１実施形態に係る動作の前提として、表示装置Ｄにおいて表示される文書に相当する文書情報は、例えば夫々が一頁に相当する複数頁分の頁情報により構成されて例えばフラッシュＲＯＭ１０３又はメモリカードＭＣ（以下、当該フラッシュＲＯＭ１０３又はメモリカードＭＣを、纏めてフラッシュＲＯＭ１０３等と称する）内に記憶されている。そして、いずれかの頁に相当する頁情報には、当該頁を指定する栞に相当する栞情報が付加されている。この栞（栞情報）は、表示装置Ｄを用いて文書を閲覧する使用者により予め指定されたものであり、その栞に相当する栞情報が対応する頁情報に付加されてフラッシュＲＯＭ１０３等内に記憶されている。この栞情報を後述する動作において辿ることにより、当該栞を付した頁のみを掻い摘んで表示部１０６に表示させることができるである。
【００４５】
また、フラッシュＲＯＭ１０３等内には、上記文書情報自体に加えて、複数の当該文書情報がある場合について当該フラッシュＲＯＭ１０３等に記憶されている各文書情報を示す文書一覧情報も、併せて記憶されている。
【００４６】
次に、第１実施形態に係る表示装置Ｄとしての動作について、具体的に説明する。
【００４７】
図３に示すように、第１実施形態に係る動作において電源スイッチ１０５ｆの操作により表示装置Ｄとしての電源が投入されると（ステップＳ１）、ＣＰＵ１０１及び表示コントローラ１０７（以下、ＣＰＵ１０１及び表示コントローラ１０７を単にＣＰＵ１０１等と称する）は、フラッシュＲＯＭ１０３等から上記文書一覧情報を読み出し、これを表示部１０６に表示する（ステップＳ２）。これにより使用者は、当該文書一覧が表示されている状態で例えば上記上キー１０５ｅ又は下キー１０５ｃ等を操作することにより、表示部１０６に実際に表示させる文書を選択する（ステップＳ３）。これによりＣＰＵ１０１等は、当該選択された文書に相当する文書情報を、例えば第１頁から表示部１０６に表示する（ステップＳ４）。なおこのとき、表示部１０６における表示モードは、通常の頁毎の文書表示を行う頁表示モードとされる。
【００４８】
次にＣＰＵ１０１は、当該文書を表示している状態において、上記次キー１０５ｂ又は前キー１０５ｄが操作されることにより頁送り操作又は頁戻り操作が為されたか否かを監視する（ステップＳ５）。そして、当該監視中において当該頁送り操作又は頁戻り操作が実行された場合（ステップＳ５；ＹＥＳ）、ＣＰＵ１０１等は、当該操作に対応して次の頁又は前の頁のいずれかに相当する頁情報に、表示部１０６上の表示を切り換える（ステップＳ６）。
【００４９】
その後ＣＰＵ１０１は、電源スイッチ１０５ｆが操作されることにより表示装置Ｄとしての電源オフが指示されたか否かを確認する（ステップＳ１３）。これにより、当該電源オフが指示されているとき（ステップＳ１３；ＹＥＳ）、ＣＰＵ１０１はそのまま表示装置Ｄとしての動作を終了する。一方、電源オフが指示されていないとき（ステップＳ１３；ＮＯ）、ＣＰＵ１０１等は、上記ステップＳ２の動作に戻って文書一覧を表示する。
【００５０】
他方、上記ステップＳ５の監視中において、頁送り操作及び頁戻り操作のいずれもが実行されない場合（ステップＳ５；ＮＯ）、ＣＰＵ１０１は次に、表示装置Ｄとしての動作を指定する図示しないメニューの表示が操作キー１０５を用いて指示されたか否かを確認する（ステップＳ７）。
【００５１】
ここで、当該メニュー自体は表示部１０６において文書に重ねて表示されるものであり、当該メニューには、後述する栞の新たな付与又は削除を指定するための項目や、既に栞が付与されている頁のみを対象として表示部１０６上の表示を切り換える第１実施形態に係る栞間移動モードを指定するための項目が含まれている。
【００５２】
そして、当該メニューを表示する操作が指示されたとき（ステップＳ７；ＹＥＳ）、ＣＰＵ１０１は必要なメニューを表示部１６に表示し（ステップＳ８）、更に当該表示されているメニュー上において、栞の新たな付与又は削除を示す項目が選択されたか否かを確認する（ステップＳ９）。これにより当該栞の付与又は削除が選択された場合（ステップＳ９；ＹＥＳ）、ＣＰＵ１０１は、当該選択された栞の新たな付与又は削除に夫々相当する栞情報の生成又は削除を行い（ステップＳ１０）、上記ステップＳ１３の動作に移行する。なお上記ステップＳ７の確認においてメニューの表示操作が為されないとき（ステップＳ７；ＮＯ）、ＣＰＵ１０１等は上記ステップＳ２の動作に戻って文書一覧を表示する。
【００５３】
また、上記ステップＳ１０の動作において新たな栞の付与が指定された場合、ＣＰＵ１０１は当該栞が付与される頁自体を縮小した当該頁のサムネイルイメージを生成してフラッシュＲＯＭ１０３等に記憶させる。
【００５４】
ここで、当該サムネイルイメージデータについては、上述したように栞の新たな付与の都度、ＣＰＵ１０１が当該栞付与の対象となる頁に相当する頁情報（イメージデータ）を縮小して生成してフラッシュＲＯＭ１０３等に記憶させてもよいし、各頁毎に予めサムネイルイメージデータをフラッシュＲＯＭ１０３等に記憶させていたものを読み出すようにしてもよい。このとき、元の頁情報の大きさ（表示の際の占有面積）との関係では、当該頁情報が例えば縦１，２００ドット×横８２５ドットの大きさであった場合、対応する縮小されたサムネイルイメージデータとしては例えば縦２８０ドット×横１９２ドット程度の大きさのものが好ましい。
【００５５】
一方、上記ステップＳ１０の動作において既存の栞の削除が指定された場合、ＣＰＵ１０１は当該削除の対象たる栞に相当する栞情報を削除する。
【００５６】
更に、上記ステップＳ９の確認において、栞の付与及び削除のいずれもが選択されない場合（ステップＳ９；ＮＯ）、ＣＰＵ１０１は次に、後述する栞間移動モードを示す項目が選択されたか否かを確認する（ステップＳ１１）。これにより当該栞間移動モードが選択された場合（ステップＳ１１；ＹＥＳ）、ＣＰＵ１０１等は、当該選択された栞間移動モードとしての動作を行い（ステップＳ１２）、上記ステップＳ１３の動作に移行する。なおこの栞間移動モードとしての動作については、後ほど詳述する。
【００５７】
一方、上記ステップＳ１１の確認において、栞間移動モードも選択されない場合（ステップＳ１１；ＮＯ）、ＣＰＵ１０１等は、上記ステップＳ２の動作に戻って文書一覧を表示する。
【００５８】
次に、第１実施形態に係る栞間移動モードとしての動作について、具体的に図４及び図５（ａ）を用い説明する。
【００５９】
当該栞間移動モードとしての動作（ステップＳ１２）として具体的には、図４に示すように、先ずＣＰＵ１０１等は、表示部１０６における表示モードを、通常の頁毎の表示を行う上記頁表示モードから、上記ステップＳ１１に係る操作により指定された栞間移動を行うための上記栞間移動モードに切り換える（ステップＳ１２０）。この栞間移動モードにおいては、上述したように、既に栞が付与されている頁のみを対象として表示部１０６上の表示を切り換える動作が実行される。なお、このステップＳ１２０の動作が実行されたタイミングで、切り換え前の頁表示モードにおいて当該切り換え直前まで表示していた頁自体に栞を付与するように構成してもよい。
【００６０】
次にＣＰＵ１０１は、切り換え前の頁表示モードにおいて当該切り換え直前まで表示していた頁に相当する頁情報（頁イメージデータ）をフラッシュＲＯＭ１０３等から改めて取得する（ステップＳ１２１）。その後ＣＰＵ１０１は更に、当該頁情報を取得した頁の直前に栞情報が指定されている（栞が付与されている頁）頁があるか否かを確認する（ステップＳ１２２）。なお、当該栞情報が指定されている頁を、以下栞頁と称する。そして、直前に栞頁がない場合（ステップＳ１２２；ＮＯ）、ＣＰＵ１０１は後述するステップＳ１２４の動作に移行する。一方当該直前の栞頁があった場合（ステップＳ１２２；ＹＥＳ）、ＣＰＵ１０１は次に、当該直前の栞頁に相当する上記サムネイルイメージデータをフラッシュＲＯＭ１０３等から取得する（ステップＳ１２３）。
【００６１】
次にＣＰＵ１０１は、上記ステップＳ１２１の動作において頁情報を取得した頁の直後に栞頁があるか否かを確認する（ステップＳ１２４）。そして、直後に栞頁がない場合（ステップＳ１２４；ＮＯ）、ＣＰＵ１０１は後述するステップＳ１２６の動作に移行する。一方当該直後の栞頁があった場合（ステップＳ１２４；ＹＥＳ）、ＣＰＵ１０１は次に、当該直後の栞頁に相当する上記サムネイルイメージデータをフラッシュＲＯＭ１０３等から取得する（ステップＳ１２５）。
【００６２】
その後ＣＰＵ１０１等は、上記ステップＳ１２１の動作において取得した頁イメージデータに相当する頁イメージと、上記ステップＳ１２３又はＳ１２５の動作において取得したサムネイルイメージデータに相当するサムネイルイメージと、を、表示部１０６において重ねて表示する（ステップＳ１２６）。
【００６３】
ここで、当該ステップＳ１２６の動作における重畳表示の態様について、具体的に図５（ａ）を用いて説明する。
【００６４】
第１実施形態に係る栞間移動動作の場合、栞頁毎の表示の切り替えに用いられるのは、通常の頁表示モードにおいて頁送り又は頁戻りの操作（上記ステップＳ５参照）に用いられていた次キー１０５ｂ又は前キー１０５ｄであり、これらは図１（ｂ）に示すように、表示装置Ｄにおいて左右に配置されている。
【００６５】
そこで、ステップＳ１２６における重畳表示動作においては、図５（ａ）に例示するように、表示部１０６上にステップＳ１２１の動作において取得した頁イメージデータに相当する頁イメージを、その表示態様（具体的には、それ自体の表示部１０６内における大きさ、フォント又は文字の太さ等）を維持しつつ先ず表示し、それに重ね合わせて、上記ステップＳ１２３の動作において取得したサムネイルイメージ（すなわち前の栞頁に相当するサムネイルイメージ）２１０を向かって左に、上記ステップＳ１２５の動作において取得したサムネイルイメージ（すなわち後の栞頁に相当するサムネイルイメージ）２２０を向かって右に、夫々表示する。これにより、栞間移動に係る操作が為される次キー１０５ｂ又は前キー１０５ｄの表示装置Ｄにおける配置関係（左右の関係）と、夫々のキーにより選択されることとなる前の栞頁に相当するサムネイルイメージ２１０又は後の栞頁に相当するサムネイルイメージ２２０の表示部１０６における表示位置関係と、が整合することとなる。
【００６６】
なお、各サムネイルイメージ２１０及び２２０の表示部１０６内の位置としては、上述した左右の関係に加えて、背景となる頁（上記ステップＳ１２１の動作において頁情報を取得した頁）における空白の領域上に、当該サムネイルイメージ２１０及び２２０を表示するように制御することが望ましい。
【００６７】
以上説明したステップＳ１２６の動作により各サムネイルイメージ２１０又は２２０が表示部１０６に表示されたら、次にＣＰＵ１０１は、サムネイルイメージ２１０又は２２０に夫々対応する前キー１０５ｄ又は次キー１０５ｂのいずれかが操作された場合（ステップＳ１２７）、その操作されたキーが次キー１０５ｂであるか否かを確認する（ステップＳ１２８）。これにより、操作されたのが次キー１０５ｂであった場合（ステップＳ１２８；ＹＥＳ）、ＣＰＵ１０１は、直後の栞頁に相当する頁情報をフラッシュＲＯＭ１０３等から取得し（ステップＳ１２９）、その後上記ステップＳ１２２の動作に戻る。
【００６８】
一方、上記ステップＳ１２８の確認において、その操作されたキーが次キー１０５ｂでなかった場合（ステップＳ１２８；ＮＯ）、次にＣＰＵ１０１は、ステップＳ１２７の動作において確認されたキーが前キー１０５ｄであるか否かを確認する（ステップＳ１３０）。これにより、操作されたのが前キー１０５ｄであった場合（ステップＳ１３０；ＹＥＳ）、ＣＰＵ１０１は、直前の栞頁に相当する頁情報をフラッシュＲＯＭ１０３等から取得し（ステップＳ１３１）、その後上記ステップＳ１２２の動作に戻る。
【００６９】
更に、上記ステップＳ１３０の確認において、その操作されたキーが前キー１０５ｄでもなかった場合（ステップＳ１３０；ＮＯ）、次にＣＰＵ１０１は、ステップＳ１２７の動作において確認されたキーが決定キー１０５ａであるか否かを確認する（ステップＳ１３２）。これにより、操作されたのが決定キー１０５ａでなかった場合に（ステップＳ１３２；ＮＯ）、ＣＰＵ１０１は、上記ステップＳ１２２の動作に戻る。一方、当該操作されたのが決定キー１０５ａであった場合（ステップＳ１３２；ＹＥＳ）、ＣＰＵ１０１等は、その決定キー１０５ａが操作されたタイミングで取得されている頁情報（すなわち、上記ステップＳ１２９又はＳ１３０のいずれか一方の動作において取得されていた栞頁に相当する頁情報）を用いた通常の頁表示（栞頁の頁表示）を行うべく、当該頁情報を用いた頁表示モードに移行し（ステップＳ１３３）、図３に示すステップＳ１３の動作に移行する。
【００７０】
上説明したように、第１実施形態に係る表示装置Ｄにおける栞間移動モードの動作によれば、栞頁に対応するサムネイルイメージ２１０又は２２０を表示部１０６内のいずれかの位置に表示し、当該表示されているサムネイルイメージ２１０又は２２０のいずれかが選択されたとき、当該選択されたサムネイルイメージ２１０又は２２０により内容が示されている栞頁を表示するので、表示部１０６の表示領域のみを利用して、現在の頁の内容と併せて栞頁の内容を確認することができる。
【００７１】
また、頁表示モードでは表示分１０６上に頁のみが表示されることで当該頁の閲覧が容易になると共に、栞間移動モードでは、現在表示中の頁の内容を確認しつつ、栞頁をも選択してその頁に表示を切り換えることができる。
【００７２】
更に、栞頁に対応するサムネイルイメージ２１０又は２２０を表示部１０６の表示領域内のいずれかの位置に表示するので、元の頁の表示を消去せずにその内容を確認可能としつつ、サムネイルイメージ２１０又は２２０を表示することができる。
【００７３】
従って、目印として栞頁に付された栞としての機能の利便性を向上させることが可能である。
【００７４】
また、表示部１０６に表示されていた頁の当該表示の態様（具体的には、大きさやフォント等）を維持しつつ、サムネイルイメージ２１０又は２２０を当該頁に重ねて表示するように制御するので、元の頁の表示が例えば縮小等されることによりそれを構成する文字等が読み難くなることがなく、当該頁のうちサムネイルイメージ２１０又は２２０が重ねられていない部分の当該文字等を確実に認識することができる。
【００７５】
更に、表示部１０６に表示されるサムネイルイメージ２１０及び２２０が当該サムネイルイメージ２１０及び２２０により内容が指示されている栞頁の表示状態を縮小して得られるサムネイルイメージデータであるので、当該栞頁の内容を迅速に認識することができる。
【００７６】
更にまた、栞頁を表示する旨の操作を行うための次キー１０５ｂ及び前キー１０５ｄの表示装置Ｄ内における位置関係（第１実施形態の場合、左右）と、サムネイルイメージ２１０又は２２０に対応する栞頁と現在表示されている頁との文書全体の中における頁の前後関係と、が整合するようにサムネイルイメージ２１０又は２２０が表示されるので、直感的な操作によりサムネイルイメージ２１０又は２２０に対応する栞頁を表示させることができる。
【００７７】
また、直前の頁表示モード現在表示部１０６に表示されている頁における空白部分を含む領域にサムネイルイメージ２１０又は２２０を表示させる場合には、現在表示されている頁の内容との関係を確認しつつ、サムネイルイメージ２１０又は２２０により内容が示されている栞頁を認識することができる。
【００７８】
なお、上述した第１実施形態においては、栞間移動モードにおいて用いられる操作キー１０５が表示装置Ｄ上において左右に配置されている次キー１０５ｂと前キー１０５ｄである関係から、これとの整合性を考慮して表示部１０６における左右にサムネイルイメージ２１０及び２２０を表示する構成とした。このとき、図５（ｂ）に例示するように、表示装置Ｄ上において上下に配置される上キー１０５ｅと下キー１０５ｃとを用いて栞間移動を行うように構成することも可能である。より具体的に例えば、上キー１０５ｅを前の栞頁の選択に用い、下キー１０５ｃを後の栞頁の選択に用いるようにするのが好適である。そしてこの場合、サムネイルイメージ２１０及び２２０も、図５（ａ）に例示した左右ではなく図５（ｂ）に例示するように上下に分けて表示部１０６に表示するのが好ましい。
【００７９】
この場合でも、上記第１実施形態に係る栞間移動モードと同様の効果を奏することができる。
【００８０】
更に、第１実施形態では、サムネイルイメージ２１０及び２２０を重ねるに当たって元の頁の表示はその表示態様を維持することとした。しかしながらこれ以外に、例えば当該元の頁の表示を表示部１０６の一部（例えば上半分）に限定し、それ以外の部分にサムネイルイメージ２１０及び２２０を表示するように構成することもできる。
【００８１】
この場合、元の頁の表示については、当該頁を縮小することにより当該頁の全体を表示しつつサムネイルイメージ２１０及び２２０を表示するようにしてもよい。また、当該頁の一部を欠くように表示して、空いた表示部１０６の領域内にサムネイルイメージ２１０及び２２０を表示するようにしてもよい。
【００８２】
（II）第２実施形態
次に、本発明に係る他の実施形態である第２実施形態について、図６（ａ）を用いて説明する。なお図６（ａ）は第２実施形態に係る表示装置の動作中における正面図である。また、以下に説明する第２実施形態に係る表示装置の構成は基本的に第１実施形態に係る表示装置Ｄの構成と同様であるので、以下の説明では、第１実施形態に係る表示装置Ｄについて用いられた部材番号と同一の部材番号を用いて説明する。なおこの点については、以下の第３実施形態乃至第５実施形態においても同様である。
【００８３】
上述した第１実施形態では、図５に例示されるように、サムネイルイメージ２１０又は２２０としては、単に栞頁自体を縮小したものを用いるのみであった。これに対し、第２実施形態に係る表示装置では、その栞間移動モードにおいて、図６（ａ）に例示するように、ＣＰＵ１０１等は、第１実施形態に係るサムネイルイメージ２１０又は２２０と同様の各サムネイルイメージに対して、夫々が対応する栞頁の頁番号２００を重畳したサムネイルイメージ２１１及び２２１を、当該サムネイルイメージ２１０又は２２０に代えて表示部１０６に表示する。この場合、背景となる頁にも、それが対応する頁番号２００を重畳して表示するのが好ましい。
【００８４】
なお、第２実施形態に係る表示装置の動作としては、上述したサムネイルイメージ２１１及び２２１をサムネイルイメージ２１０及び２２０に代えて表示する点以外は第１実施形態に係る表示装置Ｄの動作と同様であるので、当該相違点以外の第２実施形態に係る表示装置としての動作の説明は省略する。
【００８５】
以上説明した第２実施形態に係る表示装置の動作によれば、第１実施形態に係る表示装置Ｄの動作による効果に加えて、栞頁を示す頁情報２００がサムネイルイメージ２１１又は２２１内に含まれているので、当該内容が示されている頁をより迅速に認識することができる。
【００８６】
（III）第３実施形態
次に、本発明に係る更に他の実施形態である第３実施形態について、図６（ｂ）を用いて説明する。なお図６（ｂ）は第３実施形態に係る表示装置の動作中における正面図である。
【００８７】
上述した第１及び第２実施形態では、図５又は図６（ａ）に例示されるように、表示部１０６に表示されるサムネイルイメージは、サムネイルイメージ２１０又は２２０若しくはサムネイルイメージ２１１又は２２１であり、その数は多くても二つであった。これに対し、第３実施形態に係る表示装置では、その栞間移動モードにおいて、栞頁が三頁以上ある場合にＣＰＵ１０１等は、図６（ｂ）に例示するように、最大で四つのサムネイルイメージ２１２、２１３、２２２及び２２３を表示する。このとき、各サムネイルイメージ２１２、２１３、２２２及び２２３の表示順は、当該各サムネイルイメージ２１２、２１３、２２２及び２２３が対応する栞頁の、文書全体における頁の順に則った順番となる。
【００８８】
また、各サムネイルイメージ２１２、２１３、２２２及び２２３夫々自体の表示部１０６における大きさは、栞間移動モードに切り換えられる直前に表示されていた頁に対して直前の栞頁及び直後の栞頁夫々に対応するサムネイルイメージ２１３及び２２２を、当該表示されていた頁に対して更に前又は更に後にある栞頁夫々に対応するサムネイルイメージ２１２及び２２３よりも大きく表示する。なお、直前の栞頁及び直後の栞頁に各々対応するサムネイルイメージ２１３及び２２２相互の大きさについては、図６（ｂ）に例示するように同一としてもよいし、背景となる頁により近い栞頁に対応するサムネイルイメージの方を大きくしてもよい。
【００８９】
なお、第３実施形態に係る表示装置の動作としては、上述したサムネイルイメージ２１２、２１３、２２２及び２２３をサムネイルイメージ２１０及び２２０に代えて表示する点以外は第１実施形態に係る表示装置Ｄの動作と同様であるので、当該相違点以外の第３実施形態に係る表示装置としての動作の説明は省略する。
【００９０】
以上説明した第３実施形態に係る表示装置の動作によれば、第１実施形態に係る表示装置Ｄの動作による効果に加えて、文書内における位置が栞間移動モードに切り換える直前に表示されていた頁に近い栞頁の内容を示すサムネイルイメージ２１３及び２２２ほど表示部１０６における占有面積を相対的に大きくして表示するので、更に直感的に頁の内容を認識することができる。
【００９１】
（IV）第４実施形態
次に、本発明に係る更に他の実施形態である第４実施形態について、図７を用いて説明する。なお図７は第４実施形態に係る表示装置の動作中における正面図である。
【００９２】
上述した第１乃至第３実施形態に係る栞間移動モードでは、表示部１０６内にサムネイルイメージ２１０等を表示し、その表示されているサムネイルイメージ２１０等のいずれかを選択することで当該選択されたサムネイルイメージ２１０等に対応する栞頁の内容を表示部１０６に表示する構成とされていた。これに対し、第４実施形態に係る表示装置では、その栞間移動モードにおいて、図７の上側二つの図に例示するように、先ず各栞頁に対応するサムネイルイメージ２１１、２２１及び２３１を夫々の頁を示す頁情報２００を重畳して表示する。この状態において次キー１０５ｂが操作された場合、背景に表示されている頁の内容はそのままに、栞頁に対応するサムネイルイメージのみを順送りし、次の栞頁に対応するサムネイルイメージ２２１、２３１及び２４１を夫々に対応する頁情報２００を重畳して表示する。
【００９３】
そして、例えばサムネイルイメージ２３１が操作キー１０５により選択された場合、図７下側の図に例示するように、そのサムネイルイメージ２３１に対応する栞頁を表示部１０６に表示する。
【００９４】
なお、第４実施形態に係る表示装置の動作としては、上述したサムネイルイメージ２１１、２２１、２３１及び２４１をサムネイルイメージ２１０及び２２０に代えて表示する点以外は第１実施形態に係る表示装置Ｄの動作と同様であるので、当該相違点以外の第４実施形態に係る表示装置としての動作の説明は省略する。
【００９５】
以上説明した第４実施形態に係る表示装置の動作によれば、第１実施形態に係る表示装置Ｄの動作による効果に加えて、相互に異なる栞頁の内容を夫々に示す複数のサムネイルイメージ２１１等を文書内における当該各栞頁の位置関係と整合する位置関係を有するように表示部１０６上に表示し、更に当該表示されているサムネイルイメージ２１１等各々に対応する栞間の遷移が指示されたとき、各サムネイルイメージ２１１等の当該表示をその遷移に対応するように切り換えて表示するので、元の頁の表示を遷移させるのと同様の視覚的効果をもってサムネイルイメージ２１１等の表示を栞頁間で切り換えることで、直感的且つ容易にサムネイルイメージ２１１等により内容が示されている頁を認識することができる。
【００９６】
（Ｖ）第５実施形態
最後に、本発明に係る更に他の実施形態である第５実施形態について、図８を用いて説明する。なお図８は第５実施形態に係る表示装置の動作中における正面図である。
【００９７】
上述した第１乃至第４実施形態に係る表示装置では、通常の頁表示モードと栞間移動モードとの間のモード切換は、栞間の移動等にも用いられる操作キー１０５を兼用して操作したが、これ以外に、図８に例示されるように、当該モード切換専用の切換ボタン１０５ｇを操作キー１０５の一部として別途設けてもよい。そして、例えば頁表示モードから栞間遷移モードに移行する場合、図８に例示されるように切換ボタン１０５ｇの操作のみで移行するように構成することが望ましい。
【００９８】
なお、第５実施形態に係る表示装置の動作としては、上記切換ボタン１０５ｇに係る動作以外は第１実施形態に係る表示装置Ｄの動作と同様であるので、当該相違点以外の第５実施形態に係る表示装置としての動作の説明は省略する。
【００９９】
以上説明した第５実施形態に係る表示装置の動作によれば、第１実施形態に係る表示装置Ｄの動作による効果に加えて、モード間移行のための専用の切換ボタン１０５ｇを別途設けるので、より簡易にモード間移行を行うことができる。
【０１００】
なお、上記図３及び図４を用い説明したフローチャートに対応するプログラムをフレキシブルディスク等の記録媒体に記録しておき、又はインターネット等のネットワークを介して取得して記録しておき、これらをマイクロコンピュータ等のコンピュータで読み出して実行することにより、当該マイクロコンピュータ等を各実施形態に係るＣＰＵ１０１として機能させることも可能である。
【産業上の利用可能性】
【０１０１】
以上夫々説明したように、本発明は表示装置の分野に利用することが可能であり、特に表示部１０６の数が少ないか表示領域としての広さが十分でない表示装置の分野に適用すれば特に顕著な効果が得られる。
【符号の説明】
【０１０２】
１０１    ＣＰＵ
１０２    ＲＯＭ
１０３    フラッシュＲＯＭ
１０４    ＲＡＭ
１０５    操作キー
１０５ａ    決定キー
１０５ｂ    次キー
１０５ｃ    下キー
１０５ｄ    前キー
１０５ｅ    上キー
１０５ｆ    電源スイッチ
１０５ｇ    切換ボタン
１０６    表示部
１０７    表示コントローラ
１０８    バッテリー
１０９    充電コントローラ
１１０    メモリカードＩ／Ｆ
１１１    通信Ｉ／Ｆ
１１２    バス
２００    頁番号
２１０、２１１、２１２、２１３、２２０、２２１、２２２、２２３、２３１、２４１    サムネイルイメージ
Ｓ    情報処理システム
Ｐ    パソコン
Ｄ    表示装置
ＮＴ    ネットワーク
ＭＣ    メモリカード
【図１】
2010182275.tif 000003
【図２】
2010182275.tif 000004
【図３】
2010182275.tif 000005
【図４】
2010182275.tif 000006
【図５】
2010182275.tif 000007
【図６】
2010182275.tif 000008
【図７】
2010182275.tif 000009
【図８】
2010182275.tif 000010